(57)【要約】【課題】個々人の趣味や思想を反映した実用性と招福や幸運のシンボルとしての効果を備えた身の回り品を提供する。【解決手段】複数のシート部材で製作される身の回り製品に関し、各々のシート部材を異なる色彩のもので構成し、かつ風水に基づき各色彩のシート部材を選択・配置して構成する。【選択図】  図１
2004305398.tif 000002
【特許請求の範囲】
【請求項１】
複数のシート部材で製作される身の回り製品において、同製品を構成する各シート部材が、各々異なる色のものであることを特徴とする身の回り品。
【請求項２】
複数のシート部材で製作される身の回り製品において、各々のシート部材を異なる色彩のもので構成し、かつ風水に基づき各色彩のシート部材を選択・配置してなることを特徴とする身の回り品。
【請求項３】
複数のシート部材で製作される身の回り製品において、同製品を構成する各シート部材が、各々異なる材質のものであることを特徴とする請求項１又は２のいずれか１項に記載の身の回り品。
【請求項４】
複数のシート部材で製作される身の回り製品において、同製品を構成する各シート部材が、各々異なる模様のものであることを特徴とする請求項１〜３のいずれか１項に記載の身の回り品。
【請求項５】
前記シート部材が、ハンドバック、カバン、靴等の各種シート材料を原材料とする製品製作時に派生した各種の端切れであることを特徴とする請求項１〜４のいずれか１項に記載の身の回り品。
【請求項６】
シート部材の原材料が天然皮革であることを特徴とする請求項１〜５のいずれか１項に記載の身の回り品。
【請求項７】
シート部材の原材料が合成皮革であることを特徴とする請求項１〜５のいずれか１項に記載の身の回り品。
【請求項８】
シート部材の原材料が織物であることを特徴とする請求項１〜５のいずれか１項に記載の身の回り品。
【請求項９】
シート部材の原材料が合成樹脂であることを特徴とする請求項１〜５のいずれか１項に記載の身の回り品。
【請求項１０】
シート部材の原材料が、天然皮革、合成皮革、織物、合成樹脂から選ばれる複数の組み合わせであることを特徴とする請求項１〜５のいずれか１項に記載の身の回り品。
【発明の詳細な説明】
【０００１】
【発明の属する技術分野】本発明は、ハンドバック、カバン、財布等の複数のシート部材で製作される身の回り製品に関するものであり、特に同製品を構成する各シート部材が異なる色で構成されてなる身の回り品に関する。
【０００２】
【従来の技術及び発明が解決しようとする課題】一般に、ハンドバックやカバン、財布等の身の回り製品は、複数のシート部材の組み合わせで製作されている。
そして、前記身の回り製品は、同種の材質の同種の模様で、１色あるいは、同系色の複数の色彩のシート部材を組み合わせて構成されている。
ところで、近年、消費者は自分の身の回り製品に関し、自分の趣味や思想等を反映できるものを求める傾向にある。
また、消費者は、日々所持する身の回り製品に対し、招福や幸運のシンボルとしての意味を含めて、製品の色彩や材質を選択する場合がある。例えば、風水学における幸運を招く色に基づいた色彩の身の回り品を保持し、同身の回り品に実用的な効果と、お守り的な効果を持たせたいと望む人も少なくない。
しかし、現状としては、ほとんどの製品が、同製品を製造するメーカーや企業でデザインされた色や素材、形状により構成されるものであり、消費者の趣味や思想に基づき任意の色や素材、形状を選べるものは少ない。
また、一般的な招福や幸福のシンボルとしての身の回り品はあっても、個々人に適した色彩や素材、形状の招福や幸福のシンボルとしての意味をもつ身の回り製品は皆無である。
【０００３】
【課題を解決するための手段】本発明は、上記課題の解決を目的とするものであり、すなわち、下記構成の身の回り製品である。
（１）複数のシート部材で製作される身の回り製品において、同製品を構成する各シート部材が、各々異なる色のものであることを特徴とする身の回り品。
（２）複数のシート部材で製作される身の回り製品において、各々のシート部材を異なる色彩のもので構成し、かつ風水に基づき各色彩のシート部材を選択・配置してなることを特徴とする身の回り品。
（３）複数のシート部材で製作される身の回り製品において、同製品を構成する各シート部材が、各々異なる材質のものであることを特徴とする前記（１）又は（２）のいずれか１項に記載の身の回り品。
（４）複数のシート部材で製作される身の回り製品において、同製品を構成する各シート部材が、各々異なる模様のものであることを特徴とする前記（１）〜（３）のいずれか１項に記載の身の回り品。
（５）前記シート部材が、ハンドバック、カバン、靴等の各種シート材料を原材料とする製品製作時に派生した各種の端切れであることを特徴とする前記（１）〜（４）のいずれか１項に記載の身の回り品。
【０００４】
（６）シート部材の原材料が天然皮革であることを特徴とする前記（１）〜（５）のいずれか１項に記載の身の回り品。
（７）シート部材の原材料が合成皮革であることを特徴とする前記（１）〜（５）のいずれか１項に記載の身の回り品。
（８）シート部材の原材料が織物であることを特徴とする前記（１）〜（５）のいずれか１項に記載の身の回り品。
（９）シート部材の原材料が合成樹脂であることを特徴とする前記（１）〜（５）のいずれか１項に記載の身の回り品。
（１０）シート部材の原材料が、天然皮革、合成皮革、織物、合成樹脂から選ばれる複数の組み合わせであることを特徴とする前記（１）〜（５）のいずれか１項に記載の身の回り品。
【０００５】
【発明の実施の形態】本発明は、複数のシート部材で製作される身の回り製品に関するものであり、同製品を構成する各シート部材が、各々異なる色彩のもので構成される身の回り品である。
また、複数のシート部材で製作される身の回り製品を、各々のシート部材を異なる色彩のもので構成し、かつ風水に基づき各色彩のシート部材を選択・配置した身の回り品である。
なお、前記身の回り製品を構成する各シート部材は、異なる材質あるいは、異なる模様で構成することもできるものである。
そして、本発明において、複数のシート材料を構成する原材料としては、天然皮革や合成皮革、織物、合成樹脂等が挙げられるが、シート状の材料であれば、その原材料は限定されるものではなく、また、身の回り品の製作にあたって、天然皮革や合成皮革、織物、合成樹脂等の原材料を一種類用いるだけでなく、複数の種類を組み合わせて製作することもできるものである。
また、本発明の身の回り品としては、ハンドバック、カバン、靴、財布、ベルト、時計バンド、衣服、帽子、手袋、袋物、アクセサリー、装飾品等、多岐に渡る様々なものが挙げられる。
これら身の回り品は、その原材料がシート材料で構成されるものであれば、限定されるものではない。
【０００６】
なお、本発明において、身の回り製品を構成する各シート部材は、前述のように各々異なる色彩のもので構成される。ここで、異なる色彩とは、製品の主となる色と、それ以外の他の色であり、例えば、風水学に基づいて、自分の招福の複数の色を選択し、各シート部材を、任意の色で選択し配置し組み合わせて１つの身の回り製品に製作する。
また、本発明における異なる材質で構成される身の回り製品とは、１つの身の回り製品の製作にあたり、複数の材質のシート部材を組み合わせることであり、例えば、天然皮革、合成皮革、織物を混在させて１つの身の回り製品を製作したり、あるいは、天然皮革のうち、牛の皮革、ワニの皮革、オーストリッチの皮革等、異なる種類の材質を組み合わせて１つの身の回り製品を製作される身の回り製品である。
そして、本発明における異なる模様で構成される身の回り製品は、様々な模様のシート部材を組み合わせて１つの身の回り製品を構成することであり、例えば、格子模様、水玉模様等の異なる模様のシート部材を組み合わせて製作される。
【０００７】
なお、本発明の身の回り品は、同身の回り品を構成する複数のシート部材が、それぞれ異なった色彩、材質、模様で構成されるものなので、同種の原材料を大量には必要としないので、例えば、ハンドバック、カバン、靴等の各種シート材料を原材料とする製品の製作時に派生した各種の端切れで本発明の身の回り品を構成するシート部材を形成することもできる。
【０００８】
【発明の実施の形態】本発明の実施の形態について図に基づいて説明する。
図１は、本発明の身の回り品の実施例の斜視図、図２は本発明の身の回り品の他の実施例の斜視図、図３は本発明の身の回り品のその他の実施例の斜視図である。
図中、１は身の回り品の財布、２は外側シート部材、３は内側シート部材、４は、ポケット部（カード入れ部）、４ａ〜４ｄはポケット部用シート部材、５はポケット部（小銭入れ部）、５ａ、５ｂはポケット部用シート部材、６は身の回り品の時計、７は時計バンド、７ａ〜７ｅは長尺のシート部材、８は身の回り品のカバン、８ａ〜８ｆはシート部材である。
図１の本発明の身の回り品の実施例の斜視図に示すように、本発明の身の回り品（財布１）は、外側シート部材２、内側シート部材３、ポケット用シート部材４ａ〜４ｄ、５ａ、５ｂの複数のシート部材で製作されている。そして、同財布１は、同財布１を構成する各シート部材（外側シート部材２、内側シート部材３，ポケット部用シート部材４ａ〜４ｄ、５ａ、５ｂの複数のシート部材）が、各々異なる色彩で、かつ異なる材質、異なる模様で組み立てられ形成されている。
【０００９】
図１に示す身の回り品の財布１において、外側シート部材２は、天然皮革のワニ革で形成されたシート部材であり、内側シート部材３は、天然皮革のオーストリッチ革で形成されたシート部材である。そして、内側に備えられたポケット部（カード入れ部）４は、それぞれが異なる模様を備えた異なる色の合成樹脂材で形成されるポケット部用シート部材４ａ、４ｂ、４ｃ、４ｄで構成されている。また、ポケット部（小銭入れ部）５は、織物で形成されるポケット部用シート部材５ａと５ｂで、小銭が入るように構成されている。
前記各シート部材（外側シート部材２、内側シート部材３、ポケット用シート部材４ａ〜４ｄ、５ａ、５ｂ）は、例えば、風水学に基づく招福の色を任意に選択し、外側シート部材２は黄色、内側シート部材３は白色、ポケット部用シート部材４ａは赤色、ポケット部用シート部材４ｂは青色、ポケット部用シート部材４ｃは橙色、ポケット部用シート部材４ｄは緑色、ポケット部用シート部材５ａは紫色、ポケット部用シート部材５ｂは桃色というように構成することができる。
なお、身の回り品の製作手段（縫製や接着等）は、従来採用されている手段を採用する。
【００１０】
このように、身の回り品の財布１を使用する人が任意の色や材質、模様を選択して構成することにより、使用する人の趣味や思想が反映された、あるいは、招福や幸運のシンボルとしての価値が付与された身の回り品が製作される。
また、本発明の身の回り品は、１つの材質や模様に限定せずに、任意に材質や模様、色を組み合わせて形成されているので、各シート部材に使用される原材料の量は、極めて少量で良く、例えば、他の製品を製作したときに派生したシート状原材料の残部を利用して、本発明の身の回り品のシート部材（例えば、ポケット部用シート部材４ａ等）を形成するなどすることにより、低コストの身の回り品を製作することができ、かつ焼却等により廃棄される端切れを利用することができるので産業廃棄物を減少させることができる。
【００１１】
また、本発明の身の回り品においては、その保護のために、合成樹脂材等で、全体を覆う保護カバーを形成して装着したり、保護袋を形成して包容する等により、長期間使用することができる。
そして、前記保護用のカバーや袋も、任意の色彩や模様のものを選択することができ、身の回り品の全体構成に適した色彩や模様、あるいは風水に基づく色彩や模様を選択することにより、本発明の身の回り品における付加価値を向上させることができるものとなっている。
【００１２】
図２の本発明の身の回り品の他の実施例の斜視図は、本発明の身の回り品（時計６）であり、時計バンド７は、長尺のシート部材７ａ〜７ｅの組み合わせで製作されている。そして、前記時計バンド７を構成する各長尺のシート部材７ａ〜７ｅは、各々が異なる色彩で、かつ異なる材質、異なる模様で組み立てられ形成されて構成されている。
なお、本実施例においては、長尺のシート部材７ａ〜７ｅの組み合わせで時計バンド７を形成しているが、短尺のシート部材を横方向あるいは、斜め方向に組み合わせてもよく、また、複数の色彩で配色されたシート部材で構成してもよい。
【００１３】
図３の本発明の身の回り品のその他の実施例の斜視図は、本発明の身の回り品（カバン８）であり、カバン８は、シート部材８ａ〜８ｆの組み合わせで製作されている。そして、前記カバン８を構成する各シート部材８ａ〜８ｆは、各々が異なる色彩で、かつ異なる材質、異なる模様で組み立てられ形成されて構成されている。
【００１４】
上記、各実施例はそれぞれ一例であり、各シート部材の色彩、材質、模様等は、その選択・配置は、任意あるいは、風水に基づくものでよく、例えば、同じ材質で同じ模様で、異なる色彩のシート部材で構成したり、同じ色彩で同じ材質で、異なる模様のシート部材を組み合わせて身の回り品を構成することもできる。
なお、材質として、その原材料は天然皮革、合成皮革、織物、合成樹脂等、複数のシート部材で身の回り品を製作できるものであればよく、前記各原材料を１つ又は複数の組み合わせで構成される。
例えば、高級感を備えた身の回り品を構成する場合には、天然皮革の組み合わせ、耐久性を備えた身の回り品を構成する場合には、合成皮革と合成樹脂材との組み合わせなど、使用目的に合わせて、その組み合わせを選択する。
そして、各シート部材は、前述のように、ハンドバック、カバン、靴等の各種シート材料を原材料とする製品の製作時に派生した各種の端切れで形成することもでき、前記端切れでシート部材を形成することにより、低コストで製作することができるものとなっている。
また、図示していないが、本発明の身の回り品は、任意に又は風水に基づいて同身の回り品を構成する複数の各シート部材を異なる色彩や、異なる材質、異なる模様等を組み合わせて構成されるものであり、その実用性の他に、招福や幸運のシンボルとしての付加価値を備えるものとなるので、前記身の回り品を保護するために、各シート部材それぞれにあるいは、全体に保護用のシートや袋を装着することが好ましい。
【００１５】
【発明の効果】以上のことから、本発明によれば、次のような効果が発揮される。
本発明によれば、身の回り品を構成する各シート部材が、各々異なる色で構成されるので、個々人の趣味や思想を反映した個性的な身の回り品を提供することができる。
また、同様に、身の回り品を構成する各シート部材を異なる材質や異なる模様で構成することにより、さらに使用者の趣味や思想が反映された身の回り品を提供することができる。
そして、本発明の複数のシート部材で製作される身の回り製品の各シート部材を異なる色彩のもので構成し、かつ風水に基づき各色彩のシート部材を選択・配置することにより、招福や幸運のシンボルとしての効果を備えた身の回り品を提供することができる。
なお、本発明の身の回り品は、同身の回り品を構成する各シート部材を、ハンドバック、カバン、靴等の各種シート材料を原材料とする製品の製作時に派生した各種の端切れで形成することもできるので、低コストで製作することができ、かつ焼却等により廃棄される端切れを利用することができるので産業廃棄物を減らすことができる。
さらに、本発明の身の回り品を構成する各シート部材の原材料は、天然皮革、合成皮革、織物、合成樹脂等から選ばれる１つ又は複数を使用目的に合わせて組み合わせて構成することができるので、高級感を備えたものや、耐久性を備えたものを製作することができる。
【図面の簡単な説明】
【図１】本発明の身の回り品の実施例の斜視図
【図２】本発明の身の回り品の他の実施例の斜視図
【図３】本発明の身の回り品のその他の実施例の斜視図
【符号の説明】
１    身の回り品の財布
２    外側シート部材
３    内側シート部材
４    ポケット部（カード入れ部）
４ａ〜４ｄ    ポケット部用シート部材
５    ポケット部（小銭入れ部）
５ａ、５ｂ    ポケット部用シート部材
６    身の回り品の時計
７    時計バンド
７ａ〜７ｅ    長尺のシート部材
８    身の回り品のカバン
８ａ〜８ｆ    シート部材
【図１】
2004305398.tif 000003
【図２】
2004305398.tif 000004
【図３】
2004305398.tif 000005